(57)【要約】【課題】  支持ロッドに折曲可能な回転部材を設けることにより、支持部材を生布と共に収納することができるテントを提供する。【解決手段】  支持枠（１０）と生布（１２）とを有するテントであって、支持枠（１０）は上部支持座（２０）を有し、該上部支持座（２０）の周縁に少なくとも一つの回転部材（４０）を有する複数の支持ロッド（３０）が設けられ、生布（１２）の外周縁に支持枠（１０）を固定するため複数の伸縮紐（１４）が縫着されることを特徴とする。【選択図】図１
2005061077.tif 000002
【特許請求の範囲】
【請求項１】
支持枠（１０）と生布（１２）とを有するテントであって、
支持枠（１０）は上部支持座（２０）を有し、該上部支持座（２０）の周縁に少なくとも一つの回転部材（４０）を有する複数の支持ロッド（３０）が設けられ、
生布（１２）の外周縁に支持枠（１０）を固定するため複数の伸縮紐（１４）が縫着されることを特徴とするテント。
【請求項２】
前記支持ロッド（３０）における回転部材（４０）は、第一支持ロッド（４２）と、固定部材（４４）と、第二支持ロッド（４６）と、ボルト（４８）と、ナット（４９）とを備え、
第一支持ロッド（４２）は第一パイプ（４２０）と第一回転部（４２２）とを有し、第一パイプ（４２０）の一端の内部に支持ロッド（３０）を挿入するための第一ガイド部（４２４）が形成されると共に、他端に第一円弧端（４２６）が設けられ、
第一回転部（４２２）は半分の厚さを有する円盤状の第一回転プレート（４２２０）を有し、第一回転プレート（４２２０）の外縁の一部が第一パイプ（４２０）の第一円弧端（４２６）と連結され、又、第一回転プレート（４２２０）の第二支持ロッド（４６）と対応する一面は第一内側面（４２２２）であると共に、他の面は第一外側面（４２２３）であり、第一内側面（４２２２）に第一貫通孔（４２２６）を有する第一ロッド（４２２４）が設けられ、第一回転プレート（４２２０）における第一内側面（４２２２）の周縁に円弧状の収容部（４２２７）が形成されると共に、該収容部（４２２７）の付近に孔（４２２８）が形成され、第一外側面（４２２３）には、第一貫通孔（４２２６）に対応する第一凹部（４２２５）が形成されると共に、孔（４２２８）に対応して周縁部（４２２９２）を有する第一ブロック（４２２９）が設けられ、又、該周縁部（４２２９２）に切り欠き（４２２９０）が形成され、
第二支持ロッド（４６）は第二パイプ（４６０）と第二回転部（４６２）とを有し、第二パイプ（４６０）の一端の内部に支持ロッド（３０）を挿入するための第二ガイド部が形成されると共に、他端に第二円弧端（４６０４）が設けられ、
第二回転部（４６２）は半分の厚さを有する円盤状の第二回転プレート（４６４）を有し、第二回転プレート（４６４）の外縁の一部が第二パイプ（４６０）の第二円弧端（４６０４）と連結され、又、第二回転プレート（４６４）の第一支持ロッド（４２）と対応する一面は第二内側面（４６５）であると共に、他の面は第二外側面（４６６）であり、第二内側面（４６６）に第一孔（４６８）が形成されると共に、第一孔（４６８）の中央に第一孔（４６８）より径の小さい第二貫通孔（４６９）が形成され、第二内側面（４６６）の周縁には第二ロッド（４６５０）が設けられると共に、第二ロッド（４６５０）の付近に孔（４６５２）が形成され、第二外側面（４６６）に第二貫通孔（４６９）と対応する第二凹部（４６６０）が形成され、
固定部材（４４）はロッド状であり、その一端の付近にリング（４４０）を設置するための係合孔（４４１）が形成され、中段に突出ブロック（４４２）が設けられ、他端の付近に突出リング（４４４）が設けられ、又、固定部材（４４）の外側にスプリング（４４６）が設けられ、
ボルト（４８）は第一貫通孔（４２２６）と第二貫通孔（４６９）に挿入され、
そのボルト（４８）にナット（４９）を螺合し、
第一支持ロッド（４２）における第一内側面（４２２２）と第二支持ロッド（４６）における第二内側面（４６５）とを互いに密接し、第一支持ロッド（４２）の第一ロッド（４２２４）を第二支持ロッド（４６）の第一孔（４６８）に挿入すると共に、第一貫通孔（４２２６）を第二貫通孔（４６９）に合わせ、第二支持ロッド（４６）の第二ロッド（４６５０）を第一支持ロッド（４２）の収容部（４２２７）に収容し、更に、ボルト（４８）を第一貫通孔（４２２６）と第二貫通孔（４６９）に挿入すると共に、ナット（４９）と螺合することにより、第一支持ロッド（４２）と第二支持ロッド（４６）とを互いに枢設し、又、固定部材（４４）は、第一支持ロッド（４２）と第二支持ロッド（４６）とを互いに結合する前に、外側にスプリング（４４６）を設けた後、第一支持ロッド（４２）の第一内側面（４２２２）から孔（４２２８）に挿入することにより、スプリング（４４６）を突出リング（４４４）と第一ブロック（４２２９）の間に設置すると共に、固定部材（４４）の係合孔（４４１）にリング（４４０）を組合せることを特徴とする請求項１に記載のテント。
【請求項３】
上部支持座（２０）は上部面（２２）を有すると共に、周縁に支持ロッド（３０）を設置するための複数の収容溝（２４）が形成され、該収容溝（２４）の底部に支持ロッド（３０）を支持するための支持プレート（２６）が設けられることを特徴とする請求項１に記載のテント。
【請求項４】
前記上面部（２２）の中央に携帯便利のためにロープ（２８）が設けられることを特徴とする請求項３に記載のテント。
【請求項５】
支持ロッド（３０）は上部支持座（２０）の収容溝（２４）に設置するために、収容溝（２４）より大きい回転可能な大型端（３２）を設けることを特徴とする請求項３に記載のテント。
【請求項６】
前記大型端（３２）はボール状であることを特徴とする請求項５に記載のテント。
【請求項７】
前記上部支持座（２０）の底面に掛止リング（２７）が設けられることを特徴とする請求項４に記載のテント。
【請求項８】
前記支持ロッド（３０）に生布（１２）の伸縮紐（１４）を設置するための固定孔（５３）を有する複数の挟持部材（５０）が設けられることを特徴とする請求項１に記載のテント。
【請求項９】
支持ロッド（３０）の底部にテントを地面に固設するための固定パイプ（６０）が設けられることを特徴とする請求項１に記載のテント。
【請求項１０】
前記支持ロッド（３０）の底部における固定パイプ（６０）は、支持ロッド（３０）と組合せるためのパイプ端（６１）と、生布（１２）の伸縮紐（１４）に設けるための位置決めリング（６２）とを有することを特徴とする請求項９に記載のテント。
【発明の詳細な説明】
【技術分野】
【０００１】
本発明は、特に支持ロッドに折曲可能な回転部材を設けることにより、支持部材を生布と共に収納することができるテントに関するものである。
【背景技術】
【０００２】
従来のテントは生布の周辺に貫通リングが設けられると共に、湾曲可能な支持ロッドが一本一本これらの貫入リングに貫入されることにより、テントの生布が張られ、最後にぺグでテントが固定される。
【特許文献１】台湾実用新案公告第０７６６７０号公報「多用途テント」
【特許文献２】台湾実用新案公告第１９４０７６号公報「テント」
【発明の開示】
【発明が解決しようとする課題】
【０００３】
しかしながら、前記従来のテントにおける支持ロッドは湾曲可能であるが、折曲できないので、テントを収納する際、支持ロッドを各々取り外した後に、生布を収納することになる。このことから、テントを組立てる際にも時間がかかり、非常に面倒である。
【０００４】
そこで、出願されたのが本発明であって、支持ロッドに湾曲可能な回転部材を設けることにより、支持部材を生布と共に収納することができるテントを提供することを目的としている。
【課題を解決するための手段】
【０００５】
本願の請求項１の発明は、支持枠（１０）と生布（１２）とを有するテントであって、
支持枠（１０）は上部支持座（２０）を有し、該上部支持座（２０）の周縁に少なくとも一つの回転部材（４０）を有する複数の支持ロッド（３０）が設けられ、
生布（１２）の外周縁に支持枠（１０）を固定するため複数の伸縮紐（１４）が縫着されることを特徴とするテント及び、
本願の請求項２の発明は、前記支持ロッド（３０）における回転部材（４０）は、第一支持ロッド（４２）と、固定部材（４４）と、第二支持ロッド（４６）と、ボルト（４８）と、ナット（４９）とを備え、
第一支持ロッド（４２）は第一パイプ（４２０）と第一回転部（４２２）とを有し、第一パイプ（４２０）の一端の内部に支持ロッド（３０）を挿入するための第一ガイド部（４２４）が形成されると共に、他端に第一円弧端（４２６）が設けられ、
第一回転部（４２２）は半分の厚さを有する円盤状の第一回転プレート（４２２０）を有し、第一回転プレート（４２２０）の外縁の一部が第一パイプ（４２０）の第一円弧端（４２６）と連結され、又、第一回転プレート（４２２０）の第二支持ロッド（４６）と対応する一面は第一内側面（４２２２）であると共に、他の面は第一外側面（４２２３）であり、第一内側面（４２２２）に第一貫通孔（４２２６）を有する第一ロッド（４２２４）が設けられ、第一回転プレート（４２２０）における第一内側面（４２２２）の周縁に円弧状の収容部（４２２７）が形成されると共に、該収容部（４２２７）の付近に孔（４２２８）が形成され、第一外側面（４２２３）には、第一貫通孔（４２２６）に対応する第一凹部（４２２５）が形成されると共に、孔（４２２８）に対応して周縁部（４２２９２）を有する第一ブロック（４２２９）が設けられ、又、該周縁部（４２２９２）に切り欠き（４２２９０）が形成され、
第二支持ロッド（４６）は第二パイプ（４６０）と第二回転部（４６２）とを有し、第二パイプ（４６０）の一端の内部に支持ロッド（３０）を挿入するための第二ガイド部が形成されると共に、他端に第二円弧端（４６０４）が設けられ、
第二回転部（４６２）は半分の厚さを有する円盤状の第二回転プレート（４６４）を有し、第二回転プレート（４６４）の外縁の一部が第二パイプ（４６０）の第二円弧端（４６０４）と連結され、又、第二回転プレート（４６４）の第一支持ロッド（４２）と対応する一面は第二内側面（４６５）であると共に、他の面は第二外側面（４６６）であり、第二内側面（４６６）に第一孔（４６８）が形成されると共に、第一孔（４６８）の中央に第一孔（４６８）より径の小さい第二貫通孔（４６９）が形成され、第二内側面（４６６）の周縁には第二ロッド（４６５０）が設けられると共に、第二ロッド（４６５０）の付近に孔（４６５２）が形成され、第二外側面（４６６）に第二貫通孔（４６９）と対応する第二凹部（４６６０）が形成され、
固定部材（４４）はロッド状であり、その一端の付近にリング（４４０）を設置するための係合孔（４４１）が形成され、中段に突出ブロック（４４２）が設けられ、他端の付近に突出リング（４４４）が設けられ、又、固定部材（４４）の外側にスプリング（４４６）が設けられ、
ボルト（４８）は第一貫通孔（４２２６）と第二貫通孔（４６９）に挿入され、
そのボルト（４８）にナット（４９）を螺合し、
第一支持ロッド（４２）における第一内側面（４２２２）と第二支持ロッド（４６）における第二内側面（４６５）とを互いに密接し、第一支持ロッド（４２）の第一ロッド（４２２４）を第二支持ロッド（４６）の第一孔（４６８）に挿入すると共に、第一貫通孔（４２２６）を第二貫通孔（４６９）に合わせ、第二支持ロッド（４６）の第二ロッド（４６５０）を第一支持ロッド（４２）の収容部（４２２７）に収容し、更に、ボルト（４８）を第一貫通孔（４２２６）と第二貫通孔（４６９）に挿入すると共に、ナット（４９）と螺合することにより、第一支持ロッド（４２）と第二支持ロッド（４６）とを互いに枢設し、又、固定部材（４４）は、第一支持ロッド（４２）と第二支持ロッド（４６）とを互いに結合する前に、外側にスプリング（４４６）を設けた後、第一支持ロッド（４２）の第一内側面（４２２２）から孔（４２２８）に挿入することにより、スプリング（４４６）を突出リング（４４４）と第一ブロック（４２２９）の間に設置すると共に、固定部材（４４）の係合孔（４４１）にリング（４４０）を組合せることを特徴とする請求項１に記載のテント及び、
本願の請求項３の発明は、上部支持座（２０）は上部面（２２）を有すると共に、周縁に支持ロッド（３０）を設置するための複数の収容溝（２４）が形成され、該収容溝（２４）の底部に支持ロッド（３０）を支持するための支持プレート（２６）が設けられることを特徴とする請求項１に記載のテント及び、
本願の請求項４の発明は、前記上面部（２２）の中央に携帯便利のためにロープ（２８）が設けられることを特徴とする請求項３に記載のテント及び、
本願の請求項５の発明は、支持ロッド（３０）は上部支持座（２０）の収容溝（２４）に設置するために、収容溝（２４）より大きい回転可能な大型端（３２）を設けることを特徴とする請求項３に記載のテント及び、
本願の請求項６の発明は、前記大型端（３２）はボール状であることを特徴とする請求項５に記載のテント及び、
本願の請求項７の発明は、前記上部支持座（２０）の底面に掛止リング（２７）が設けられることを特徴とする請求項４に記載のテント及び、
本願の請求項８の発明は、前記支持ロッド（３０）に生布（１２）の伸縮紐（１４）を設置するための固定孔（５３）を有する複数の挟持部材（５０）が設けられることを特徴とする請求項１に記載のテント及び、
本願の請求項９の発明は、支持ロッド（３０）の底部にテントを地面に固設するための固定パイプ（６０）が設けられることを特徴とする請求項１に記載のテント及び、
本願の請求項１０の発明は、前記支持ロッド（３０）の底部における固定パイプ（６０）は、支持ロッド（３０）と組合せるためのパイプ端（６１）と、生布（１２）の伸縮紐（１４）に設けるための位置決めリング（６２）とを有することを特徴とする請求項９に記載のテント、を提供する。
【発明の効果】
【０００６】
本発明のテントは、生布を伸縮紐と挟持部材によって支持枠に固定すると共に、挟持部材を上部支持座の掛止リングに設置して、生布の上部を上部支持座と組み合せ、更に、本発明の支持枠に回転可能な回転部材を設けることにより、生布と支持枠とを収納するので、短時間でテントの収納、組立ができ、実用性が非常に高い。
【発明を実施するための最良の形態】
【０００７】
以下、添付図面を参照して本発明の好適な実施の形態を詳細に説明する。勿論、下記実施の形態は、本発明の好適な実施の例を示すに過ぎず、本発明の技術的範囲は、下記実施の形態そのものに何ら限定されるものではない。
【０００８】
図１は本発明に係るテントの斜視図であり、図２は本発明に係るテントの支持枠の収納状態を示す斜視図であり、図３は本発明に係るテントにおける上部支持座と支持ロッドとの結合状態を示す拡大斜視図であり、図４は本発明に係るテントにおける挟持部材と生布との結合状態を示す拡大斜視図であり、図５は本発明に係るテントにおける固定パイプと生布との結合状態を示す拡大斜視図であり、図６及び図７は本発明に係るテントにおける回転部材の分解斜視図であり、図８は本発明に係るテントにおける回転部材の断面図であり、図９は本発明に係るテントの回転部材における固定部材のリングの作動状態を示す斜視図であり、図１０は本発明に係るテントにおける回転部材の使用状態を示す平面図であり、図１１は本発明に係るテントにおける回転部材の収納状態を示す平面図であり、図１２は本発明に係るテントの支持枠の展開状態を示す平面図である。
【０００９】
図１及び図２に示すように、本発明に係るテントは支持枠（１０）と生布（１２）とを有し、支持枠（１０）は上部支持座（２０）を有し、該上部支持座（２０）の周縁に少なくとも一つの回転部材（４０）（本実施例は二つの回転部材（４０）を有する）を有する複数の支持ロッド（３０）が設けられ、これらの支持ロッド（３０）に複数の挟持部材（５０）が設けられると共に、底部にテントを地面に固設するための固定パイプ（６０）が設けられ、生布（１２）の外周縁に支持枠（１０）を固定するため複数の伸縮紐（１４）が縫着される。
【００１０】
図３に示すように、テントの支持枠（１０）の展開状態から見ると、上部支持座（２０）は上部面（２２）を有すると共に、周縁に支持ロッド（３０）を設置するため複数の収容溝（２４）が形成され、該収容溝（２４）の底部に支持ロッド（３０）を支持するための支持プレート（２６）が設けられ、上面部（２２）の中央に携帯便利のためにロープ（２８）が設けられると共に、上部支持座（２０）の底面に掛止リング（２７）が設けられる。
【００１１】
支持ロッド（３０）は上部支持座（２０）の収容溝（２４）に設置するために、収容溝（２４）より大きい回転可能なボール状の大型端（３２）を設けることにより、支持ロッド（３０）が上部支持座（２０）の周縁に設けられる。
【００１２】
更に、図１乃至図４に示すように、支持ロッド（３０）に設ける挟持部材（５０）は係合部（５１）と、固定端（５２）とを有し、この挟持部材（５０）が前記上部支持座（２０）の掛止リング（２７）に設置され、又、挟持部材（５０）の固定端（５２）に固定孔（５３）が形成され、前記生布（１２）の外周縁に設ける伸縮紐（１４）を固定孔（５３）に掛けることによって挟持部材（５０）を生布（１２）に固定することにより、挟持部材（５０）が支持ロッド（３０）又は回転部材（４０）と固定され、或いは該挟持部材（５０）が上部支持座（２０）の掛止リング（２７）と連結されることにより、生布（１２）の上部を上部支持座（２０）に組み合せる。
【００１３】
又、図１、図２及び図５に示すように、支持ロッド（３０）の底部における固定パイプ（６０）は、支持ロッド（３０）と組合せるためのパイプ端（６１）と、生布（１２）の伸縮紐（１４）に設けるための位置決めリング（６２）とを有し、又、伸縮紐（１４）一端に固定リング（６４）が設けられる。
【００１４】
図２、図６及び図７に示すように、支持ロッド（３０）における回転部材（４０）は、第一支持ロッド（４２）と、固定部材（４４）と、第二支持ロッド（４６）とを備える。
【００１５】
第一支持ロッド（４２）は第一パイプ（４２０）と第一回転部（４２２）とを有し、第一パイプ（４２０）の一端の内部に支持ロッド（３０）を挿入するための第一ガイド部（４２４）が形成されると共に、他端に第一円弧端（４２６）が設けられ、第一回転部（４２２）は半分の厚さを有する円盤状の第一回転プレート（４２２０）を有し、第一回転プレート（４２２０）の外縁の一部が第一パイプ（４２０）の第一円弧端（４２６）と連結される。又、第一回転プレート（４２２０）の第二支持ロッド（４６）と対応する一面は第一内側面（４２２２）であると共に、他の面は第一外側面（４２２３）である。第一内側面（４２２２）に第一貫通孔（４２２６）を有する第一ロッド（４２２４）が設けられ、第一回転プレート（４２２０）における第一内側面（４２２２）の周縁に円弧状の収容部（４２２７）が形成されると共に、該収容部（４２２７）の付近に孔（４２２８）が形成される。又、第一外側面（４２２３）には、第一貫通孔（４２２６）に対応する第一凹部（４２２５）が形成されると共に、孔（４２２８）に対応して周縁部（４２２９２）を有する第一ブロック（４２２９）が設けられ、該周縁部（４２２９２）に切り欠き（４２２９０）が形成される。
【００１６】
第二支持ロッド（４６）は第二パイプ（４６０）と第二回転部（４６２）とを有し、第二パイプ（４６０）の構造は前記第一パイプ（４２０）と等しく、一端の内部に支持ロッド（３０）を挿入するための第二ガイド部（符号なし）が形成されると共に、他端に第二円弧端（４６０４）が設けられる。
【００１７】
第二回転部（４６２）は半分の厚さを有する円盤状の第二回転プレート（４６４）を有し、第二回転プレート（４６４）の外縁の一部が第二パイプ（４６０）の第二円弧端（４６０４）と連結される。又、第二回転プレート（４６４）の第一支持ロッド（４２）と対応する一面は第二内側面（４６５）であると共に、他の面は第二外側面（４６６）である。第二内側面（４６６）に第一孔（４６８）が形成されると共に、第一孔（４６８）の中央に第一孔（４６８）より径の小さい第二貫通孔（４６９）が形成される。又、第二内側面（４６６）の周縁には更に第二ロッド（４６５０）が設けられると共に、第二ロッド（４６５０）の付近に孔（４６５２）が形成され、第二外側面（４６６）に第二貫通孔（４６９）と対応する第二凹部（４６６０）が形成される。
【００１８】
前記固定部材（４４）はロッド状であり、その一端の付近にリング（４４０）を設置するための係合孔（４４１）が形成され、中段に突出ブロック（４４２）が設けられ、他端の付近に突出リング（４４４）が設けられ、又、固定部材（４４）の外側にスプリング（４４６）が設けられる。
【００１９】
更に、図８及び図９に示すように、第一支持ロッド（４２）と第二支持ロッド（４６）とを結合する場合、第一支持ロッド（４２）における第一内側面（４２２２）と第二支持ロッド（４６）における第二内側面（４６５）とを互いに密接することにより、第一支持ロッド（４２）の第一ロッド（４２２４）を第二支持ロッド（４６）の第一孔（４６８）に挿入すると共に、第一貫通孔（４２２６）を第二貫通孔（４６９）に合わせ、第二支持ロッド（４６）の第二ロッド（４６５０）を第一支持ロッド（４２）の収容部（４２２７）に収容し、更に、ボルト（４８）を第一貫通孔（４２２６）と第二貫通孔（４６９）に挿入すると共に、ナット（４９）と螺合することにより、第一支持ロッド（４２）と第二支持ロッド（４６）とを互いに枢設する。前記固定部材（４４）は、第一支持ロッド（４２）と第二支持ロッド（４６）とを互いに結合する前に、外側にスプリング（４４６）を設けた後、第一支持ロッド（４２）の第一内側面（４２２２）から孔（４２２８）に挿入することにより、スプリング（４４６）を突出リング（４４４）と第一ブロック（４２２９）の間に設置すると共に、固定部材（４４）の係合孔（４４１）にリング（４４０）を組合せる。
【００２０】
本発明の支持枠（１０）を展開する場合、支持ロッド（３０）の回転部材（４０）を図１１に示す位置から図１０に示す位置まで回転させる。図８、図１０及び図１１に示すように、支持ロッド（３０）を回転する際、先ず図１１に示す固定部材（４４）のリング（４４０）を回転させることにより、固定部材（４４）の突出ブロック（４４２）を第一ブロック（４２２９）の切り欠き（４２２９０）に合わせ、この際において第一支持ロッド（４２）の孔（４２２８）が第二支持ロッド（４６）の孔（４６５２）にずれされるので、固定部材（４４）がスプリング（４４６）によって孔（４２２８）に押圧される。第二支持ロッド（４６）を第一支持ロッド（４２）に対応して展開方向へ回転させると、第二支持ロッド（４６）の第二ロッド（４６５０）を第一支持ロッド（４２）の収容部（４２２７）に移動すると共に、第一支持ロッド（４２）の孔（４２２８）を第二支持ロッド（４６）の孔（４６５２）に合わせ、この際、固定部材（４４）がスプリング（４４６）の付勢力によって第二支持ロッド（４６）の孔（４６５２）に移動されることにより、第一支持ロッド（４２）と第二支持ロッド（４６）が互いに固定される。
【００２１】
図２、図８乃至図１１に示すように、支持枠（１０）を収納する場合、リング（４４０）によって固定部材（４４）を第二支持ロッド（４６）の孔（４６５２）から脱離させると共に、固定部材（４４）の突出ブロック（４４２）を切り欠き（４２２９０）から脱離させ、更に、リング（４４０）を回転して、突出ブロック（４４２）を第一支持ロッド（４２）の第一ブロック（４２２９）と係合することにより、固定部材（４４）を再び孔（４６５２）に挿入することを防止し、この際、第一支持ロッド（４２）の第一回転部（４２２）と第二支持ロッド（４６）の第二回転部（４６２）とを互いに回転することができ、従って、支持枠（１０）を図２に示す状態のように収納することができる。
【００２２】
図１２に示すように、本実施例に示すの支持ロッド（３０）には二つの回転部材（４０）が設けられ、支持枠（１０）を展開する際、固定部材（４４）のリング（４４０）を回転させることによって固定部材（４４）の突出ブロック（４４２）を第一ブロック（４２２９）の切り欠き（４２２９０）に合わせることにより、該支持ロッド（３０）を回転部材（４０）によって図８に示す状態のように回転させ、又、スプリング（４４６）の付勢力によって固定部材（４４）が第二支持ロッド（４６）の孔（４６５２）に挿入され、更に、上部支持座（２０）を上方の所定位置へ引くと、支持ロッド（３０）における回転部材（４０）を所定の位置に展開する。支持枠（１０）を展開した後、ぺグを支持ロッド（３０）の底部における固定パイプ（６０）の固定リング（６４）に貫入することにより、テントを地面に固定することができる。
【００２３】
以上、実施例に基づき本発明を説明したが、上記実施例は、本発明の趣旨を逸脱しない範囲内で種々の改良変形が可能であることはいうまでもなく、本発明の技術的範囲には、それらの改良変形も含まれる。
【産業上の利用可能性】
【００２４】
本発明のテントは、生布を伸縮紐と挟持部材によって支持枠に固定すると共に、挟持部材を上部支持座の掛止リングに設置することにより、生布の上部を上部支持座と組み合せ、更に、本発明の支持枠に回転可能な回転部材が設けられるので、生布と支持枠とを共に収納することを達成できる。
【図面の簡単な説明】
【００２５】
【図１】本発明に係るテントの斜視図である。
【図２】本発明に係るテントの支持枠の収納状態を示す斜視図である。
【図３】本発明に係るテントにおける上部支持座と支持ロッドとの結合状態を示す拡大斜視図である。
【図４】本発明に係るテントにおける挟持部材と生布との結合状態を示す拡大斜視図である。
【図５】本発明に係るテントにおける固定パイプと生布との結合状態を示す拡大斜視図である。
【図６】本発明に係るテントにおける回転部材の分解斜視図である。
【図７】本発明に係るテントにおける回転部材の分解斜視図である。
【図８】本発明に係るテントにおける回転部材の断面図である。
【図９】本発明に係るテントの回転部材における固定部材のリングの作動状態を示す斜視図である。
【図１０】本発明に係るテントにおける回転部材の使用状態を示す平面図である。
【図１１】本発明に係るテントにおける回転部材の収納状態を示す平面図である。
【図１２】本発明に係るテントの支持枠の展開状態を示す平面図である。
【符号の説明】
【００２６】
１０        支持枠
１２        生布
１４        伸縮紐
２０        上部支持座
２２        上部面
２４        収容溝
２６        支持プレート
２７        掛止リング
２８        ロープ
３０        支持ロッド
３２        大型端
４０        回転部材
４２        第一支持ロッド
４２０      第一パイプ
４２２      第一回転部
４２２０    第一回転プレート
４２２２    第一内側面
４２２３    第一外側面
４２２４    第一ロッド
４２２５    第一凹部
４２２６    第一貫通孔
４２２７    収容部
４２２８    孔
４２２９    第一ブロック
４２２９０  切り欠き
４２２９２  周縁部
４２４      第一ガイド部
４２６      第一円弧端
４４        固定部材
４４０      リング
４４１      係合孔
４４２      突出ブロック
４４４      突出リング
４４６      スプリング
４６        第二支持ロッド
４６０      第二パイプ
４６０４    第二円弧端
４６２      第二回転部
４６４      第二回転プレート
４６５      第二内側面
４６５０    第二ロッド
４６５２    孔
４６６      第二外側面
４６６０    第二凹部
４６８      第一孔
４６９      第二貫通孔
４８        ボルト
４９        ナット
５０        挟持部材
５１        係合部
５２        固定端
５３        固定孔
６０        固定パイプ
６１        パイプ端
６２        位置決めリング
６４        固定リング
【図１】
2005061077.tif 000003
【図２】
2005061077.tif 000004
【図３】
2005061077.tif 000005
【図４】
2005061077.tif 000006
【図５】
2005061077.tif 000007
【図６】
2005061077.tif 000008
【図７】
2005061077.tif 000009
【図８】
2005061077.tif 000010
【図９】
2005061077.tif 000011
【図１０】
2005061077.tif 000012
【図１１】
2005061077.tif 000013
【図１２】
2005061077.tif 000014